(57)【要約】      （修正有）【課題】一つの立て看板において複数の表示情報を切り替えて表示する際に、目的の表示情報をより確実に表示することの可能な立て看板を提供する。【解決手段】表面が水平方向又は斜め上方を向く表示板本体２と、表示板本体２の表面に、その表面上の直線のうち水平方向と交差する方向を向く直線に沿った軸回りに回動可能に固定された可動表示板３と、表示板本体２に設けられ、表示板本体２の表面との間に可動表示板３を挟んで固定する状態と、可動表示板３から離れて可動表示板３の回動を可能とする状態とで切り替わるストッパ５ａ，５ｂと、を有し、可動表示板３の表裏面のうちの一方の面と表示板本体２の表面とが対向する第一の状態と、可動表示板３の表裏面のうちの他方の面と表示板本体２の表面とが対向する第二の状態とで、表示内容が切り替え可能となっている立て看板を構成する。【選択図】図１
0003210323.tif 000002
【実用新案登録請求の範囲】
【請求項１】
表面が水平方向又は斜め上方を向く表示板本体と、
当該表示板本体の表面に、その表面上の直線のうち水平方向と交差する方向を向く直線に沿った軸回りに回動可能に固定された可動表示板と、
前記表示板本体に設けられ、前記表示板本体の表面との間に前記可動表示板を挟んで固定する状態と、前記可動表示板から離れて当該可動表示板の回動を可能とする状態とで切り替わるストッパと、
を有し、
前記可動表示板の表裏面のうちの一方の面と前記表示板本体の表面とが対向する第一の状態と、前記可動表示板の表裏面のうちの他方の面と前記表示板本体の表面とが対向する第二の状態とで、表示内容が切り替え可能となっていることを特徴とする立て看板。
【請求項２】
前記可動表示板は、前記表示板本体の表面上の直線のうち水平方向と直交する方向を向く直線に沿った軸回りに回動可能であることを特徴とする請求項１に記載の立て看板。
【請求項３】
前記可動表示板は、前記表示板本体の左右方向半分の領域を覆う大きさであり、前記軸は、前記表示板本体の左右方向中心を通る軸であることを特徴とする請求項２に記載の立て看板。
【請求項４】
前記可動表示板は、前記表示板本体の表面上の直線のうち水平方向と斜めに交差する方向を向く直線に沿った軸回りに回動可能であることを特徴とする請求項１に記載の立て看板。
【請求項５】
前記可動表示板は、前記第一の状態及び前記第二の状態のいずれの状態においても前記表示板本体の表面内に収まる大きさであることを特徴とする請求項４に記載の立て看板。
【請求項６】
前記可動表示板は、前記軸の伸びる方向に沿って配置された複数の表示板からなることを特徴とする請求項１から請求項５のいずれか一項に記載の立て看板。
【請求項７】
前記可動表示板は複数重ねて設けられ、前記可動表示板が見開きの状態となる第三の状態でも、表示内容が切り替え可能となっていることを特徴とする請求項１から請求項６のいずれか一項に記載の立て看板。
【請求項８】
前記可動表示板の表裏面と、当該可動表示板と対向する面との間にこれら面間を着脱可能に接着する接着テープを備えることを特徴とする請求項１から請求項７のいずれか一項に記載の立て看板。
【考案の詳細な説明】
【技術分野】
【０００１】
本考案は、立て看板に関し、特に工事用立て看板として好適なものである。
【背景技術】
【０００２】
従来より、例えば作業現場、工事現場等において歩行者や通行車両等に対する工事案内及び誘導案内、また、注意喚起等の目的で、必要な情報を表示したスタンド式の立て看板等を工事現場の近辺に設置したり、誘導灯や旗等を持たせた誘導員を工事現場に配置したりすることにより、案内又は誘導することが行われている。
例えば、「草刈り作業中」、「除雪作業中」等といった作業内容を記載したマグネットプレートを用意し、この作業内容を表すマグネットプレートを表示板に張り付けることによって、作業内容を容易に変更するようにした立て看板が提案されている（例えば、特許文献１参照。）。
【０００３】
しかしながら、このような立て看板には反射材が張り付けられていることが多く、反射材により磁力が弱められ、マグネットプレートが剥がれることがある。
そのため、例えば、複数の表示板の一辺を上下方向に回動可能に立て看板本体に取り付け、一つの表示板の裏面と次の表示板の表面とで一つの表示面をなすように構成し、表示板を上下に順にめくる毎に異なる表示面を構成することで、一つの立て看板において複数の情報を表示するようにした立て看板も提案されている。
【先行技術文献】
【特許文献】
【０００４】
【特許文献１】実用新案登録第３１５４５０８号公報
【考案の概要】
【考案が解決しようとする課題】
【０００５】
上述のように表示板を上下方向にめくることにより、複数の表示面を構成するようにした立て看板においては、表示板をめくり上げた状態に維持するために、例えば、蝶ねじ等を用いて表示板を固定している。しかしながら、何らかによって蝶ねじ等による固定が外れた場合には、目的とする内容表示を行うことができない。特に、工事現場等においては、蝶ねじ等が外れたり、紛失したりする可能性があり、より確実に正しい表示を行うことのできる立て看板が望まれている。
また、表示板を上下方向にめくる方法においては、表示板をめくり上げた状態に維持するため、表示板の立て看板本体への取り付け部分に底部が形成されることになり、ゴミ等が溜まりやすく、また、雨水等が溜まりやすく、立て看板の劣化を早めるという問題がある。
【０００６】
本考案は、一つの立て看板において複数の表示情報を切り替えて表示する際に、目的の表示情報をより確実に表示することの可能な立て看板を提供することを目的としている。
【課題を解決するための手段】
【０００７】
上記目的を達成するために、本考案の一実施形態に係る立て看板は、表面が水平方向又は斜め上方を向く表示板本体と、表示板本体の表面に、その表面上の直線のうち水平方向と交差する方向を向く直線に沿った軸回りに回動可能に固定された可動表示板と、表示板本体に設けられ、表示板本体の表面との間に可動表示板を挟んで固定する状態と、可動表示板から離れて可動表示板の回動を可能とする状態とで切り替わるストッパと、を有し、可動表示板の表裏面のうちの一方の面と表示板本体の表面とが対向する第一の状態と、可動表示板の表裏面のうちの他方の面と表示板本体の表面とが対向する第二の状態とで、表示内容が切り替え可能となっている立て看板、が提供される。
【考案の効果】
【０００８】
本考案の一実施形態に係る立て看板は、表面が水平方向又は斜め上方を向く表示板本体の表面上の直線のうち、水平方向と交差する方向を向く直線に沿った軸回りに回動可能に可動表示板を固定し、可動表示板を、ストッパにより表示板本体の表面との間に挟むことで固定するようにしたため、表示内容が意図せず切り替わることをより確実に回避することができると共に、表示板本体と可動表示板との間に雨水やごみ等が溜まることを抑制し、立て看板の劣化を遅らせることができる。
【図面の簡単な説明】
【０００９】
【図１】本発明の一実施形態に係る立て看板の一例を示す構成図である。
【図２】本発明の一実施形態に係る立て看板の一例を示す説明図である。
【図３】本発明の一実施形態に係る立て看板の変形例である。
【図４】本発明の一実施形態に係る立て看板の変形例である。
【図５】本発明の一実施形態に係る立て看板の変形例である。
【図６】本発明の一実施形態に係る立て看板の変形例である。
【考案を実施するための形態】
【００１０】
以下、図面を参照して、本考案の一実施形態を説明する。以下の図面の記載において、同一又は類似の部分には同一又は類似の符号を付している。
また、以下に示す実施形態は、本考案の技術的思想を具体化するための装置や方法を例示するものであって、本考案の技術的思想は、構成部品の材質、形状、構造、配置等を下記のものに特定するものでない。本考案の技術的思想は、実用新案登録請求の範囲に記載された請求項が規定する技術的範囲内において、種々の変更を加えることができる。
以下、本考案の一実施形態に係る立て看板について図面を参照して説明する。
【００１１】
図１は、本考案の一実施形態に係る立て看板の一例を示す構成図である。図１（ａ）は第一の状態を示し、図１（ｂ）は第二の状態を示し、図１（ｃ）は立て看板１の要部の拡大図である。
本考案における立て看板１は、図示しない脚部により支持される縦長の長方形状の表示板本体２と、可動表示板３とを備える。
可動表示板３は、表示板本体２の表面の幅方向半分の幅を有し、表示板本体２よりも縦方向の長さが短い長方形状を有する。可動表示板３は、その縦方向の辺の一方を表示板本体２の表面に蝶番４により固定することによって、回動自在に固定される。このとき、可動表示板３は、その縦方向の一方の辺が、表示板本体２の表面が水平方向又は斜め上方を向く状態で、表示板本体２の表面の左右方向中央部に固定され且つ表面上の直線のうち水平方向と直交する方向を向く直線に沿った軸回りに固定される。これにより、立て看板１を水平面に置いたときに、可動表示板３の縦方向の辺が水平方向と直交し、可動表示板３を、表示板本体２の表面上で左右方向にめくることができるようになっている。
【００１２】
そして、可動表示板３が表示板本体２の右側領域と重なるときに表となる可動表示板３の面を３ａ、他方の面を３ｂとしたとき、面３ｂが表示板本体２の表面と対向する第一の状態で、表示板本体２の表面の、可動表示板３と重ならない領域と可動表示板３の面３ａとからなる面が第一の表示面１ａとなり、可動表示板３の面３ａが表示板本体２の表面と対向する第二の状態で、表示板本体２の表面の、可動表示板３と重ならない領域と可動表示板３の面３ｂとからなる面が第二の表示面１ｂとなる。つまり、図２に示すように、表示板本体２の表面の、第一の状態及び第二の状態で可動表示板３と重なる領域には、その左半分の領域には第一の表示面１ａに表示される情報の一部が記載され、右半分の領域には第二の表示面１ｂに表示される情報の一部が記載される。また、可動表示板３の面３ａには第一の表示面１ａに表示される情報の一部が記載され、面３ｂには第二の表示面１ｂに表示される情報の一部が記載される。
なお、図１では、蝶番４により可動表示板３を表示板本体２に固定しているが、蝶番４に限らず可動表示板３を回動可能に固定することができればよく、例えばＵボルト等であってもよい。
【００１３】
表示板本体２の、左側領域及び右側領域の可動表示板３の上辺と重なる部分には、可動表示板３を固定するストッパ５ａ、５ｂが設けられている。ストッパ５ａ、５ｂは、例えば、かんぬき等のようにスライドする軸棒を備えており、軸棒の位置を移動させることによって、軸棒と表示板本体２の表面との間に可動表示板３を固定し、また、固定解除するようになっている。このとき、可動表示板３側には軸棒を受ける受け金等は設けず、表示板本体２側に設けたストッパ５ａ、５ｂの軸棒のみで可動表示板３の移動を制限するようになっている。仮に、可動表示板３側に受け金等を設けた場合、ストッパ５ａ、５ｂ側の棒軸を受け金等に係合させる必要があり、ストッパ５ａ、５ｂの軸棒と受け金等とが係合するように、ある程度の精度で取り付ける必要がある。図１に示す立て看板の場合、可動表示板３がめくれなければよいため、受け金等を設けなくとも問題はない。なお、ストッパ５ａ、５ｂとしては、スライド式の軸棒を備えたかんぬき等に限るものではなく、例えば、アームを回動させるようにした掛け金等を用いることも可能であり、要は、簡易な構成で容易に可動表示板３の固定及び固定解除を行うことのできる構造であれば適用することができる。なお、アームを回動させるようにした掛け金等をストッパとして設ける場合も、アームは自重で垂直方向となるように移動するため、アームを受ける受け金等は設けなくてよい。
【００１４】
また、図１では、可動表示板３の上辺部分でストッパ５ａ、５ｂの軸棒を上下方向に移動させることにより可動表示板３を固定する場合について説明したが、これに限るものではなく、例えば、ストッパ５ａ、５ｂを表示板本体２の縦方向の辺に設け、ストッパ５ａ、５ｂの棒軸を左右方向にスライドさせることにより固定するようにしてもよい。
また、可動表示板３の両面の縁部には、マジックテープ（登録商標）等の繰り返し着脱可能な接着テープ６の一方が設けられている。また、表示板本体２の表面の、可動表示板３に設けた接着テープ６の一方と対向する領域には接着テープ６の他方が設けられている。可動表示板３を、面３ａ又は面３ｂが表示板本体２の表面と対向するように回動させることにより、可動表示板３側の接着テープ６と表示板本体２側の接着テープ６とが接触し、接着テープ６によって可動表示板３と表示板本体２との間の隙間を埋めるようになっている。
接着テープ６は、可動表示板３の蝶番４により固定されている辺を除く３辺それぞれに設けてもよく、いずれか一つ又は二つの辺に設けるようにしてもよい。いずれか一つまたは二つの辺に設ける場合には、可動表示板３の開閉操作のし易さ、また雨水やゴミ等がたまるという観点から、可動表示板３の底辺を除く部分に設けることが好ましい。
【００１５】
次に、上記実施形態における立て看板１の動作を説明する。
例えば、図１（ａ）に示すように、可動表示板３の面３ｂが表示板本体２の表面と対向する第一の状態で、表示板本体２の表面の左側領域と可動表示板３の面３ａとからなる第一の表示面１ａに「１００ｍ先で工事中」であることを表す工事予告情報を表示し、図１（ｂ）に示すように、可動表示板３の面３ａが表示板本体２の表面と対向する第二の状態で、可動表示板３の面３ｂと表示板本体２の表面の右側領域とからなる第二の表示面１ｂに「休工中」であることを表す休工中情報を表示するものとする。この場合、表示板本体２の表面には図２（ａ）に示すように、工事予告情報の一部と休工中情報の一部とを記載し、図２（ｂ）に示すように、可動表示板３の面３ａには工事予告情報の一部を記載し、面３ｂには休工中情報の一部を記載する。
【００１６】
このような立て看板１を用いて、工事予告を行う場合には、可動表示板３の面３ｂが表示板本体２の表面と対向するように可動表示板３をめくり、ストッパ５ｂを操作し軸棒と表示板本体２との間に可動表示板３を挟み込むことにより可動表示板３を固定する。これにより、立て看板１には、図１（ａ）に示すように工事予告情報が表示される。
この状態から、休工通知を行う場合には、ストッパ５ｂを操作し軸棒を上に上げて可動表示板３の固定解除を行う。そして、可動表示板３を左側にめくり、可動表示板３の面３ａを表示板本体２の表面と対向させた状態でストッパ５ａを操作し軸棒と表示板本体２との間に可動表示板３を挟み込むことによって、可動表示板３を固定する。これにより、立て看板１には、図１（ｂ）に示すように、休工中情報が表示される。
【００１７】
このように、ストッパ５ａ、５ｂを操作し、可動表示板３を回動させるだけで表示情報を容易に変更することができる。
このとき、図１に示す立て看板１では、表示板本体２側にストッパ５ａ、５ｂとして棒軸のみを設けている。そのため、係合操作時に、棒軸と受け金等との位置合わせを行う必要がないため、係合操作を容易に行うことができる。
また、受け金側を設けた場合、経時劣化等により形状が変化した場合等には、棒軸と受け金側との位置関係がずれると、位置合わせをする必要があるため、ストッパ５ａ、５ｂの係合操作に手間がかかる。しかしながら、立て看板１には、受け金側を設けていないため、仮に形状変化等が生じた場合であっても容易に係合操作を行うことができ、特に工事現場等、形状変化しやすい場面において、使い勝手を向上させることができる。
【００１８】
また、可動表示板３と表示板本体２とには接着テープ６が設けられている。ここで、可動表示板３をめくり第一の状態又は第二の状態に切り替えたとき、可動表示板３側の接着テープ６と表示板本体２側の接着テープ６とは接触した状態となる。仮に、立て看板１において接着テープ６を設けていない場合、ストッパ５ａ、５ｂにより可動表示板３を固定したとしても、風圧等により、ストッパ５ａ、５ｂと表示板本体２との間で、可動表示板３がバタツク可能性がある。立て看板１では、接着テープ６を設けているため、可動表示板３の移動を制限することができる。そのため、可動表示板３のバタツキを防止することができ、その結果、可動表示板３のバタツキ等に起因して、可動表示板３が落下或いは破損することを抑制することができ、立て看板１の劣化を遅らせることができる。
【００１９】
また、ストッパ５ａ、５ｂに軸棒に対して受け金側は設けていないため、ストッパ５ａ、５ｂの取り付けを容易に行うことができ、取り付け作業に要する所要時間を短縮することができる。
また、可動表示板３を、表示板本体２の表面に、表示板本体２の表面上の直線のうち水平方向と直交する方向を向く直線に沿った軸回りに回動可能に固定しているため、立て看板１を略水平面に設置したとき、可動表示板３は略垂直方向を軸として回動する。したがって仮に雨が降ったとしても、雨水等が可動表示板３と表示板本体２との間に溜まることはない。したがって、雨水、或いはゴミ等により立て看板１の劣化が進むことを抑制することができる。
【００２０】
なお、上記実施形態においては、表示板本体２の表面の一部と重なる可動表示板３を設け、表示板本体２の一部においてその表示情報を切り替えるようにした場合について説明したが、これに限るものではない。例えば、可動表示板３を、表示板本体２の表面の幅方向半分の領域を縦方向全域に亙って覆う大きさに形成し、可動表示板３を回動させることによって、表示板本体２の表面全体の表示情報を切り替えるように構成してもよい。
また、上記実施形態においては、一枚の可動表示板３を表示板本体２に設ける場合について説明したがこれに限るものではない。例えば、図３に示すように、図１に示す可動表示板３を軸方向に沿って複数（例えば３つ  ３Ｘ〜３Ｚ）設け、可動表示板３Ｘ〜３Ｚ毎にストッパ５を設け、各可動表示板３Ｘ〜３Ｚを個別に回動させることで、表示板本体２の表面における表示内容を、可動表示板３Ｘ〜３Ｚの部分で個別に切り替えるようにしてもよい。また、図３に示す可動表示板３Ｘ〜３Ｚのうちの一つ又は二つのみを設けるようにしてもよい。例えば、図４に示すように、可動表示板３Ｘ及び可動表示板３Ｚのみを設け、表示板本体２の表面において、可動表示板３Ｘの部分及び可動表示板３Ｚの部分についてのみ表示内容を切り替えるようにしてもよい。
【００２１】
また、図５に示すように、可動表示板３を、表示板本体２の表面に、その表面上の直線のうち水平方向と斜めに交差する方向を向く直線に沿った軸回りに回動可能に固定してもよい。つまり、図５に示すように、表示板本体２に対して可動表示板３を斜めに配置することで、可動表示板３の面３ｂと表示板本体２の表面とが対向する第一の状態と、面３ａと表示板本体２の表面とが対向する第二の状態と、を切り替え可能にしてもよい。例えば、可動表示板３の面３ａと表示板本体２の表面とで形成される第一の表示面１ａに工事予告情報を表示し、可動表示板３の面３ｂと表示板本体２の表面の、可動表示板３の面３ａと対向する領域とからなる領域に、休工中情報を斜めに表示するようにすることで、工事予告情報としての文字列の上に、この文字列の一部を覆うように休工中情報を斜めに表示することにより、通行者の注意を引くようにしてもよい。また、図５（ｂ）において、可動表示板３の面３ｂの部分にのみ休工中情報を表示するようにしてもよい。
【００２２】
なお、可動表示板３を表示板本体２の表面に斜めに固定する場合には、第一の状態及び第二の状態のいずれの状態においても可動表示板３が、表示板本体２の表面内に収まるようにすることが好ましい。
図５の立て看板１の場合、可動表示板３を上に折りあげたときに表となる面３ａが表示面の一部となるときにのみ、ストッパ５により可動表示板３を固定するようにしてもよい。面３ｂが表示面の一部となるときには、可動表示板３の自重で可動表示板３は、面３ｂが表となる状態を維持するため、面３ｂが表となるときにはストッパを設けなくともよい。
【００２３】
また、図５に示す立て看板１の場合には、可動表示板３の短辺等、第二の表示面を表示する際に、表示板本体２側に設けた接着テープ６が第一の表示面における表示の妨げとならない位置に、接着テープ６を配置すればよい。
また、図５に示すように、可動表示板３を表示板本体２に対して斜めに固定した場合においても、可動表示板３の軸は水平方向に対して斜めに設けられているため、可動表示板３と表示板本体２との間の雨水の水はけ等を確保することができ、この場合も、雨水等による立て看板１の劣化を低減することができる。
【００２４】
また、上記実施形態において、図６に示すように、同一形状の２枚以上の可動表示板３を重ねて表示板本体２に固定し、二つの可動表示板３の面どうしが見開きとなり、異なる可動表示板３の面からなる表示面が形成される第三の状態への切り替えも可能とし、第一の表示面１ａが形成される第一の状態、第二の表示面１ｂが形成される第二の状態、さらに第三の状態、の３つの状態の間で切り替え可能に構成してもよい。なお、図６において、可動表示板３の形状は同一でなくともよい。なお、可動表示板３を重ねて複数設ける場合には、複数の可動表示板３を、例えば同一のＵボルト４ａによって表示板本体２の表面に固定することで、回動自在に固定すればよい。
【００２５】
また、表示板本体２に対して可動表示板３を設ける場合に限るものではなく、可動表示板３に対してさらに別の可動表示板３を設けるようにしてもよい。
また、上記実施形態においては、工事現場に配置される立て看板に適用した場合について説明したがこれに限るものではなく、一つの立て看板に複数の情報を切り替えて表示するようにした立て看板であれば適用することができる。
【符号の説明】
【００２６】
１  立て看板
２  表示板本体
３  可動表示板
４  蝶番
４ａ  Ｕボルト
５、５ａ、５ｂ  ストッパ
６  接着テープ
【図１】
0003210323.tif 000003
【図２】
0003210323.tif 000004
【図３】
0003210323.tif 000005
【図４】
0003210323.tif 000006
【図５】
0003210323.tif 000007
【図６】
0003210323.tif 000008